(57)【要約】【課題】安定した水量を便器本体に供給し、便器洗浄を良好に実行することができる便器洗浄装置を提供する。【解決手段】便器洗浄装置は、第１タンク１１と、便器給水路１４と、流入口２０Ａ及び噴射ノズル２０Ｂとを有するジェットポンプ装置２０と、噴射ノズル２０Ｂに洗浄水を供給する第１給水路２１と、第１タンク１１の満水位Ｘよりも高い位置に洗浄水を貯留し、流出口１２Ｄを下端部に設けており、溢流した洗浄水が第１タンク１１内に流入する第２タンク１２と、第２タンク１２内の水位が第１設定水位Ｙ１に低下すると流出口１２Ｄを閉鎖する第１開閉弁３１と、第１給水路２１に設け、第１設定水位Ｙ１よりも高く、かつ満水位Ｘよりも高い第２設定水位Ｚで開閉する第２開閉弁３２と、第２タンク１２内に洗浄水を供給する第２給水路２２と、第２給水路２２に設け、満水位Ｘで開閉する第３開閉弁３３とを備えている。【選択図】図１
2013204262.tif 000002
【特許請求の範囲】
【請求項１】
便器本体に洗浄水を供給する便器洗浄装置であって、
洗浄水を貯留する第１タンクと、
この第１タンクと前記便器本体とを連通する便器給水路と、
便器洗浄を実行する前の待機状態における前記第１タンク内の満水位よりも低い位置に配置し、前記便器給水路の上流端に設けた流入口と、この流入口に向かって洗浄水を噴出する噴射ノズルとを有するジェットポンプ装置と、
前記噴射ノズルに洗浄水を供給する第１給水路と、
前記第１タンクの前記満水位よりも高い位置に洗浄水を貯留し、貯留した洗浄水を前記第１タンク内に流出する流出口を下端部に設けており、溢流した洗浄水が前記第１タンク内に流入する第２タンクと、
この第２タンク内に貯留した洗浄水が前記流出口から前記第１タンク内に流出し、前記第２タンク内の水位が第１設定水位に低下すると前記流出口を閉鎖する第１開閉弁と、
前記第１給水路に設け、前記第２タンク内の水位が前記第１設定水位よりも高く、かつ前記第１タンク内の前記満水位よりも高い第２設定水位で開弁又は閉弁する第２開閉弁と、
前記第１給水路を分岐し、前記第２タンク内に洗浄水を供給する第２給水路と、
この第２給水路に設け、前記第１タンク内の水位が前記満水位で開弁又は閉弁する第３開閉弁とを備えていることを特徴とする便器洗浄装置。
【請求項２】
前記第１設定水位を複数設定しており、前記第２タンク内の水位が選択した前記第１設定水位に低下すると前記第１開閉弁が前記流出口を閉鎖することを特徴とする請求項１記載の便器洗浄装置。
【請求項３】
前記第１給水路に設け、前記第１タンク内の水位が前記ジェットポンプ装置の前記流入口から空気が流入する水位に低下する前に閉弁して前記第１給水路を閉鎖する第４開閉弁を備えていることを特徴とする請求項１又は２記載の便器洗浄装置。
【発明の詳細な説明】
【技術分野】
【０００１】
本発明は便器洗浄装置に関する。
【背景技術】
【０００２】
特許文献１の図２４〜２６には従来の便器洗浄装置が開示されている。この便器洗浄装置は、洗浄水を貯留する第１タンクと、第１タンクの底面に載置して上端が開口した第２タンクとを備えている。この第２タンクは第１タンクの満水位よりも低い位置に上端を形成している。また、この第２タンクは、側面に貫設した開口部と、この開口部を開閉する開閉蓋とを有している。この便器洗浄装置は、第２タンク内に配置し、便鉢部に連通する便器給水路の上流端に設けた流入口と、この流入口に向かって洗浄水を噴出する噴射ノズルとを有するジェットポンプ装置を備えている。また、この便器洗浄装置は噴射ノズルに洗浄水を供給する給水路を備えている。さらに、この便器洗浄装置は給水路の途中に設け、給水路を開閉するフラッシュバルブを備えている。
【０００３】
この便器洗浄装置は、フラッシュバルブを操作して給水路を開放すると、噴射ノズルから洗浄水が勢いよく噴出する。噴射ノズルから噴出した洗浄水の水勢によって、第２タンク内の水が流入口から便器給水路内に引き込まれる。このため、この便器洗浄装置は大流量の洗浄水を便鉢部に供給することができる。
【０００４】
また、この便器洗浄装置は、第２タンクの開閉蓋を開閉することによって、便鉢部に供給する洗浄水の水量を変更することができる。つまり、第２タンクの開閉蓋を開いた状態では第２タンクの外側に貯留した洗浄水が第２タンクの開口部から第２タンク内に流入することができる。この状態で、フラッシュバルブを操作して給水路を開放すると、第２タンクの上端より低い位置であって第２タンクの外側に貯留した洗浄水もジェットポンプ装置によって流入口から便器排水路内に引き込み、便鉢部に供給することができる。これに対して、第２タンクの開閉蓋を閉じた状態では、第２タンクの上端より低い位置であって第２タンクの外側に貯留した洗浄水は第２タンク内に流入することができないため、第２タンクの上端より低い位置であって第２タンクの外側に貯留した洗浄水を、ジェットポンプ装置によって便鉢部に供給することができない。このように、第２タンクの開閉蓋を開いた状態の方が閉じた状態より多くの洗浄水を便鉢部に供給することができる。このように、この便器洗浄装置は、水洗式便器の使用状況に応じて、便鉢部に供給する洗浄水の流量を変更することができるため、便器洗浄を良好に実行することができる。
【先行技術文献】
【特許文献】
【０００５】
【特許文献１】特許第３３１２６２５号公報
【発明の概要】
【発明が解決しようとする課題】
【０００６】
しかし、特許文献１の便器洗浄装置では、フラッシュバルブによって給水路を開閉している。フラッシュバルブは開弁している間に流れる洗浄水の水量が給水圧によって変動してしまう。このため、この便器洗浄装置は、噴射ノズルから噴出する洗浄水の水量が給水圧によって変動し、便鉢部に供給する洗浄水の水量もばらついてしまうおそれがある。このため、この便器洗浄装置は汚物等の排出が不充分になるおそれがある。
【０００７】
本発明は、上記従来の実情に鑑みてなされたものであって、安定した水量を便器本体に供給し、便器洗浄を良好に実行することができる便器洗浄装置を提供することを解決すべき課題としている。
【課題を解決するための手段】
【０００８】
本発明の便器洗浄装置は、便器本体に洗浄水を供給する便器洗浄装置であって、
洗浄水を貯留する第１タンクと、
この第１タンクと前記便器本体とを連通する便器給水路と、
便器洗浄を実行する前の待機状態における前記第１タンク内の満水位よりも低い位置に配置し、前記便器給水路の上流端に設けた流入口と、この流入口に向かって洗浄水を噴出する噴射ノズルとを有するジェットポンプ装置と、
前記噴射ノズルに洗浄水を供給する第１給水路と、
前記第１タンクの前記満水位よりも高い位置に洗浄水を貯留し、貯留した洗浄水が前記第１タンク内に流出する流出口を下端部に設けており、溢流した洗浄水が前記第１タンク内に流入する第２タンクと、
この第２タンク内に貯留した洗浄水が前記流出口から前記第１タンク内に流出し、前記第２タンク内の水位が第１設定水位に低下すると前記流出口を閉鎖する第１開閉弁と、
前記第１給水路に設け、前記第２タンク内の水位が前記第１設定水位よりも高く、かつ前記第１タンク内の前記満水位よりも高い第２設定水位で開弁又は閉弁する第２開閉弁と、
前記第１給水路を分岐し、前記第２タンク内に洗浄水を供給する第２給水路と、
この第２給水路に設け、前記第１タンク内の水位が前記満水位で開弁又は閉弁する第３開閉弁とを備えていることを特徴とする。
【０００９】
この便器洗浄装置は、以下に示すように便器洗浄を実行することができる。
【００１０】
この便器洗浄装置は、便器洗浄を実行する前の待機状態では、第１タンク、及び第２タンクは満水位の状態で洗浄水を貯留している。この状態で、第１開閉弁を操作して、第２タンクの流出口を開放する。これによって、この便器洗浄装置は便器洗浄を開始する。第２タンクの流出口が開放すると、第２タンク内の洗浄水が流出口から第１タンク内に流出し、第２タンク内の水位が低下する。そして、第２タンク内の水位が第２設定水位に低下すると、第２開閉弁が開弁し、第１給水路が開放する。第１給水路が開放すると、噴射ノズルから洗浄水が噴出し、その水勢によって、第１タンク内の洗浄水が流入口内に引き込まれる。このため、この便器洗浄装置は大流量の洗浄水を便器本体に供給することができる。そして、第１タンク及び第２タンク内の水位は低下し続ける。
【００１１】
第２タンク内の水位が第１設定水位に低下すると、第１開閉弁が流出口を閉鎖する。この間、第１タンク内の水位が満水位から低下すると、第３開閉弁が開弁する。これによって、第２給水路から第２タンク内に洗浄水が流入する。そして、第１開閉弁が流出口を閉鎖した後、第２タンク内の水位は上昇する。
【００１２】
そして、第２タンク内の水位が第２設定水位に上昇すると、第２開閉弁が閉弁し、第１給水路が閉鎖する。これによって、噴射ノズルからの洗浄水の噴出を停止し、便器本体への洗浄水の供給を終了する。
【００１３】
このように、この便器洗浄装置は第２タンク内の水位の変化によって第２開閉弁が開閉する。第２給水路から第２タンクに供給する洗浄水は給水圧によって流量が変化する。つまり、給水圧が高い方が低い場合に比べて、第２タンクに供給する洗浄水の流量が多くなる。このため、給水圧が高い方が低い場合に比べて、第２タンク内の水位が早期に第２設定水位まで上昇する。よって、給水圧が高い方が低い場合に比べて、第２開閉弁が早期に閉弁する。つまり、給水圧が高い方が低い場合に比べて、噴射ノズルからの洗浄水の噴出が早期に停止し、便器本体への洗浄水の供給が早期に終了する。
【００１４】
また、第１給水路を流れて噴射ノズルから噴出する洗浄水も、給水圧が高い方が低い場合に比べて、流量が多くなる。また、噴射ノズルから噴出する洗浄水の水勢が強い（流量が多い）方が、水勢が弱い（流量が少ない）場合に比べて、流入口内に引き込む第１タンク内の洗浄水の流量が多くなる。このため、給水圧が高い方が低い場合に比べて、便器本体に供給する洗浄水の流量が多くなり、早期に便器本体への洗浄水の供給を終了する。このように、この便器洗浄装置は給水圧が変動しても便器本体へ供給する洗浄水の水量のばらつきを少なくすることができる。
【００１５】
したがって、本発明の便器洗浄装置は安定した水量を便器本体に供給し、便器洗浄を良好に実行することができる。
【００１６】
第２タンクは、第２給水路から流入する洗浄水によって水位が上昇し続ける。そして、第２タンクから溢流した洗浄水が第１タンク内に流入し、第１タンク内の水位が上昇する。第１タンク内の水位が満水位に上昇すると、第３開閉弁が閉弁し、第２給水路が閉鎖する。これによって、便器洗浄装置は、第１タンク、及び第２タンクが洗浄水を満水位の状態で貯留し、便器洗浄を実行する前の待機状態に復帰する。
【図面の簡単な説明】
【００１７】
【図１】実施例１の水洗式便器の概略図である。
【図２】実施例１の便器洗浄装置の概略図であって、（Ｉ）は便器洗浄待機状態を示し、（ＩＩ）は便鉢部への洗浄水供給を開始した状態を示す。
【図３】実施例１の便器洗浄装置の概略図であって、（ＩＩＩ−１）は小洗浄動作の途中を示し、（ＩＩＩ−２）は大洗浄動作の途中を示す。
【図４】実施例１の便器洗浄装置の概略図であって、（ＩＶ）は便鉢部への洗浄水供給を終了した状態を示す。
【図５】実施例２の水洗式便器の概略図である。
【図６】実施例３の水洗式便器の概略図である。
【図７】実施例４の水洗式便器の概略図である。
【発明を実施するための形態】
【００１８】
本発明における好ましい実施の形態を説明する。
【００１９】
本発明の第１設定水位を複数設定しており、前記第２タンク内の水位が選択した前記第１設定水位に低下すると前記第１開閉弁が前記流出口を閉鎖し得る。この場合、高い方の第１設定水位を選択すると、低い方の第１設定水位を選択した場合に比べ、第２タンク内の水位が第２設定水位に上昇するまでの時間を短くすることができる。つまり、早期に第１給水路を閉鎖し、噴射ノズルからの洗浄水の噴出を早期に停止することができるため、便器本体へ供給する洗浄水の水量を少なくすることができる。このように、この便器洗浄装置は、水洗式便器の使用状況に応じて、便鉢部に供給する洗浄水の水量を変更することができるため、便器洗浄を良好に実行することができる。
【００２０】
前記第１給水路に設け、前記第１タンク内の水位が前記ジェットポンプ装置の前記流入口から空気が流入する水位に低下する前に閉弁して前記第１給水路を閉鎖する第４開閉弁を備え得る。この場合、ジェットポンプ装置の噴射ノズルから噴出した洗浄水が流入口内へ空気を引き込むことを確実に防止することができる。このため、ジェットポンプ装置が空気を引き込む音の発生を確実に防止することができる。
【００２１】
次に、本発明の便器洗浄装置を備えた水洗式便器を具体化した実施例１〜４について、図面を参照しつつ説明する。
【００２２】
＜実施例１＞
実施例１の水洗式便器は、図１に示すように、便器本体１と便器洗浄装置１０とを備えている。便器本体１は、便鉢部２と、便鉢部２の下流側に連通した便器排水路３とを有している。
【００２３】
便器洗浄装置１０は、便器本体１の後方であって、便器本体１の上面より低い位置に配置している。このため、この水洗式便器はローシルエットを実現している。便器洗浄装置１０は、第１タンク１１、第２タンク１２、第３タンク１３、便器給水路１４、ジェットポンプ装置２０、第１給水路２１、第２給水路２２、第１開閉弁３１、第２開閉弁３２、及び第３開閉弁３３を備えている。
【００２４】
第１タンク１１は洗浄水を貯留している。第２タンク１２は第１タンク１１内の上部に配置されている。この第２タンク１２に貯留した洗浄水の一部は便器洗浄を実行する前の待機状態における第１タンク１１の満水位Ｘ１よりも高い位置に貯留されている。つまり、この第２タンク１２は第１タンク１１の満水位Ｘ１よりも高い位置に洗浄水を貯留している。この第２タンク１２は底面１２Ａ及び、底面１２Ａの外周縁から立ちあがった側面１２Ｂを有しており、上方に向けて開口した上端開口１２Ｃを形成している。また、この第２タンク１２は下端部である底面１２Ａを貫通した流出口１２Ｄを有している。第２タンク１２に貯留した洗浄水は流出口１２Ｄを介して第１タンク１１内に流出することができる。また、第２タンク１２の側面１２Ｂの上端から溢流した洗浄水は第１タンク１１内に流入することができる。
【００２５】
第３タンク１３は第１タンク１１内に配置されている。この第３タンク１３は上面１３Ａ及び、上面１３Ａの外周縁から下方に延びた側面１３Ｂを有し、第１タンク１１内の下部の近傍で下方に向けて開口した下端開口１３Ｃを有している。また、この第３タンク１３は上端部に便器給水路１４が連通している。便器給水路１４の上流端であって、第３タンク１３の上端部に流入口２０Ａが形成されている。この流入口２０Ａは、便器洗浄を実行する前の待機状態における第１タンク１１の満水位Ｘ１よりも低い位置に配置されている。
【００２６】
便器給水路１４の下流端は便器本体１の便鉢部２の後部に連通している。便器給水路１４の下流端から流出した洗浄水は便鉢部２の上端周面に沿って一方向に流れつつ、便鉢部２の表面に流れ落ちる。このように、便器給水路１４の下流端から流出した洗浄水は、平面視において、便鉢部２を旋回する流れを形成し、汚物等を便鉢部２の中央部に集めて便器排水路３内へ押し流すように流れる。
【００２７】
ジェットポンプ装置２０は、流入口２０Ａと、第３タンク１３内に配置され、流入口２０Ａに向かって洗浄水を噴出する噴射ノズル２０Ｂとを有している。第１給水路２１は、下流端が噴射ノズル２０Ｂに連通しており、上流端が給水源に連通している。このため、第１給水路２１は噴射ノズル２０Ｂに洗浄水を供給することができる。第２給水路２２は、第１給水路２１を分岐して形成されており、下流端が第２タンク１２の上端開口１２Ｃに臨んで配置されている。第２給水路２２は下流端から流出した洗浄水を第２タンク１２に供給することができる。
【００２８】
第１開閉弁３１は第２タンク１２内の水位が第１設定水位Ｙ１、Ｙ２（図３参照）に低下すると流出口１２Ｄを閉鎖する。この第１開閉弁３１は、詳細な構造の説明を省略するが、水洗式便器のロータンク等に用いられ、大小洗浄を切換可能な排水弁と同一の構造を有している。つまり、第１開閉弁３１は、流出口１２Ｄを閉鎖する第１設定水位が二つ設定されており（Ｙ１、Ｙ２）、第２タンク１２内の相違する２つの第１設定水位Ｙ１、Ｙ２の一方を選択して流出口１２Ｄを閉鎖するように駆動させることができる。
【００２９】
また、第１開閉弁３１は流出口１２Ｄを開放するための操作部３１Ａを有している。この操作部３１Ａは、便鉢部２に供給する洗浄水の水量が多い大洗浄と、大洗浄よりも便鉢部２に供給する洗浄水の水量が少ない小洗浄とを選択的に実行することができるように形成されている。大洗浄を実行するように操作部３１Ａを操作すると、第１開閉弁３１が流出口１２Ｄを閉鎖する際の第２タンク１２内の水位が低い方の第１設定水位Ｙ２が選択され、小洗浄を実行するように操作部３１Ａを操作すると、第１開閉弁３１が流出口１２Ｄを閉鎖する際の第２タンク１２内の水位が高い方の第１設定水位Ｙ１が選択される。つまり、第１開閉弁３１は、大洗浄を実行した際には第２タンク内の水が低い方の第１設定水位Ｙ２になると流出口１２Ｄを閉鎖し、小洗浄を実行した際には第２タンク内の水が高い方の第１設定水位Ｙ１になると流出口１２Ｄを閉鎖する。
【００３０】
第２開閉弁３２は第１給水路２１に設けられている。第２開閉弁３２は、第２タンク１２内の水位の変化に連動して、上下するフロート３２Ａを有するボールタップである。この第２開閉弁３２は、第２タンク１２内の水位が第１設定水位Ｙ１、Ｙ２よりも高く、かつ第１タンク１１の満水位Ｘ１よりも高い水位で開弁又は閉弁するよう設定されている。
【００３１】
第３開閉弁３３は第２給水路２２に設けられている。第３開閉弁３３は、第１タンク１１内の水位の変化に連動して、上下するフロート３３Ａを有するボールタップである。この第３開閉弁３３は、第１タンク１１内の水位が満水位Ｘ１で開弁又は閉弁するように設定されている。
【００３２】
次に、このような構成を有する水洗式便器の便器洗浄動作を説明する。
【００３３】
この水洗式便器は、図２（Ｉ）に示すように、便器洗浄を実行する前の待機状態では、第１タンク１１、及び第２タンク１２は満水位Ｘ１、Ｘ２の状態で洗浄水を貯留している。この状態で、図２（ＩＩ）に示すように、第１開閉弁３１の操作部３１Ａを操作して、第２タンク１２の流出口１２Ｄを開放する。これによって、この便器洗浄装置１０は便器洗浄を開始する。第２タンク１２の流出口１２Ｄが開放すると、第２タンク１２内の洗浄水が流出口１２Ｄから第１タンク１１内に流出し、第２タンク１２内の水位が低下する。一方、第２タンク１２から第１タンク１１内に洗浄水が流入するので、便器洗浄を実行した初期に、第１タンク１１内の水位が僅かに上昇する。
【００３４】
そして、第２タンク１２内が第２設定水位Ｚに低下すると、第２開閉弁３２が開弁し、第１給水路２１が開放する。第１給水路２１が開放すると、噴射ノズル２０Ｂから洗浄水が噴出し、その水勢によって、第３タンク１３（第１タンク１１）内の洗浄水が流入口２０Ａ内に引き込まれる。このため、この便器洗浄装置１０は大流量の洗浄水を便器本体１の便鉢部２に供給することができる。そして、第１タンク１１及び第２タンク１２内の水位は低下し続ける。
【００３５】
第２タンク１２内の水位が第１設定水位Ｙ１、Ｙ２に低下すると、図３（ＩＩＩ−１）、（ＩＩＩ−２）に示すように、第１開閉弁３１が流出口１２Ｄを閉鎖する。この際、小洗浄を実行するように操作部３１Ａが操作された場合、図３（ＩＩＩ−１）に示すように、第２タンク１２内に洗浄水が半分程度残っている状態（水位が第１設定水位Ｙ１）で第１開閉弁３１が流出口１２Ｄを閉鎖する。一方、大洗浄を実行するように操作部３１Ａが操作された場合、図３（ＩＩＩ−２）に示すように、第２タンク１２内に洗浄水がほとんど残っていない状態（水位が第１設定水位Ｙ２）で第１開閉弁３１が流出口１２Ｄを閉鎖する。
【００３６】
この間、第１タンク１１内の水位が満水位Ｘ１から低下すると、第３開閉弁３３が開弁する。これによって、第２給水路２２から第２タンク１２内に洗浄水が流入する。そして、第１開閉弁３１が流出口１２Ｄを閉鎖した後、第２タンク１２内の水位は上昇する。
【００３７】
そして、第２タンク１２内の水位が第２設定水位Ｚに上昇すると、図４（ＩＶ）に示すように、第２開閉弁３２が閉弁し、第１給水路２１が閉鎖する。これによって、噴射ノズル２０Ｂからの洗浄水の噴出が停止し、便器本体１への洗浄水の供給を終了する。この際、第１タンク１１内の水位が第３タンク１３の下端開口より低くならないように、第２設定水位Ｚを設定している。このため、噴射ノズル２０Ｂから洗浄水が噴出している間は、必ず第３タンク１３内を洗浄水が満たした状態に維持することができる。これによって、ジェットポンプ装置２０の噴射ノズル２０Ｂから噴出した洗浄水が流入口２０Ａ内へ空気を引き込むことを確実に防止することができる。このため、ジェットポンプ装置２０が空気を引き込む音の発生を確実に防止することができる。
【００３８】
小洗浄を実行するように第１開閉弁３１の操作部３１Ａを操作した場合、水位が高い方の第１設定水位Ｙ１が選択されて第１開閉弁３１が流出口１２Ｄを閉鎖する。このため、大洗浄を実行するように第１開閉弁３１の操作部３１Ａを操作した場合に比べ、第２タンク１２内の水位が第２設定水位Ｚに上昇するまでの時間を短くすることができる。つまり、早期に第１給水路２１を閉鎖し、噴射ノズル２０Ｂからの洗浄水の噴出を早期に停止する。このため、小洗浄を実行するように第１開閉弁３１の操作部３１Ａを操作すると、便器本体１へ供給する洗浄水の水量を少なくすることができる。このように、この便器洗浄装置１０は、水洗式便器の使用状況に応じて、便鉢部２に供給する洗浄水の水量を変更することができるため、便器洗浄を良好に実行することができる。
【００３９】
また、この便器洗浄装置１０は第２タンク１２内の水位の変化によって第２開閉弁３２が開閉する。第２給水路２２から第２タンク１２に供給する洗浄水は給水圧によって流量が変化する。つまり、給水圧が高い方が低い場合に比べて、第２タンク１２に供給する洗浄水の流量が多くなる。このため、給水圧が高い方が低い場合に比べて、第２タンク１２内の水位が早期に第２設定水位Ｚまで上昇する。よって、給水圧が高い方が低い場合に比べて、第２開閉弁３２が早期に閉弁する。つまり、給水圧が高い方が低い場合に比べて、噴射ノズル２０Ｂからの洗浄水の噴出が早期に停止し、便器本体１への洗浄水の供給が早期に終了する。
【００４０】
また、第１給水路２１を流れて噴射ノズル２０Ｂから噴出する洗浄水も、給水圧が高い方が低い場合に比べて、流量が多くなる。また、噴射ノズル２０Ｂから噴出する洗浄水の水勢が強い（流量が多い）方が、水勢が弱い（流量が少ない）場合に比べて、流入口２０Ａ内に引き込む第３タンク１３（第１タンク１１）内の洗浄水の流量が多くなる。このため、給水圧が高い方が低い場合に比べて、便器本体１に供給する洗浄水の流量が多くなり、早期に便器本体１への洗浄水の供給を終了する。このように、この便器洗浄装置１０は給水圧が変動しても便器本体１へ供給する洗浄水の水量のばらつきを少なくすることができる。
【００４１】
したがって、実施例１の便器洗浄装置１０は安定した水量を便器本体１に供給し、便器洗浄を良好に実行することができる。
【００４２】
第２タンク１２は、第２給水路２２から流入する洗浄水によって水位が上昇し続ける。そして、図４（ＩＶ）に示すように、第２タンク１２から溢流した洗浄水が第１タンク１１内に流入し、第１タンク１１内の水位が上昇する。第１タンク１１内の水位が満水位Ｘ１に上昇すると、第３開閉弁３３が閉弁し、第２給水路２２が閉鎖する。これによって、水洗式便器は、第１タンク１１、及び第２タンク１２が洗浄水を満水位Ｘ１、Ｘ２の状態で貯留し、便器洗浄を実行する前の待機状態に復帰する。
【００４３】
以上説明したように、実施例１の水洗式便器の便器洗浄装置１０は無電源で便器洗浄を実行することができる。
【００４４】
＜実施例２＞
実施例２の水洗式便器の便器洗浄装置１１０は、図５に示すように、第１開閉弁１３１が流出口１２Ｄを閉鎖する第１設定水位を一つのみ設定している点で実施例１と相違する。他の構成は実施例１と同様であり、同一の構成は同一の符号を付し、詳細な説明を省略する。
【００４５】
この便器洗浄装置１１０は、第１開閉弁１３１は、操作部１３１Ａを操作して流出口１２Ｄを開放すると、第２タンク１２内の洗浄水がほとんど残っていない状態（水位が第１設定水位Ｙ２）で流出口１２Ｄを閉鎖するように設定されている。このため、この水洗式便器は、便器洗浄を実行すると、毎回、略等しい水量の洗浄水を便鉢に供給することができる。
【００４６】
したがって、実施例２の便器洗浄装置１１０も安定した水量を便器本体１に供給し、便器洗浄を良好に実行することができる。
【００４７】
＜実施例３＞
実施例３の水洗式便器の便器洗浄装置２１０は、図６に示すように、第１給水路２１に設けた第４開閉弁３４を有している点で実施例２と相違する。他の構成は、実施例２と同様であり、同一の構成は同一の符号を付し、詳細な説明を省略する。
【００４８】
第４開閉弁３４は、第１タンク１１内の水位の変化に連動して、上下するフロート３４Ａを有するボールタップである。この第４開閉弁３４は、便器洗浄を実行中に第１タンク１１内の水位が第３タンク１３の下端開口より低下しないように、第３タンク１３の下端開口より僅かに高い水位Ｗまで低下すると閉弁するように設定されている。
【００４９】
つまり、第４開閉弁３４は、第１タンク１１内の水位がジェットポンプ装置２０の流入口２０Ａから空気が流入する水位に低下する直前に閉弁して第１給水路２１を閉鎖する。仮に、第２タンク１２内に流入する洗浄水の流量が少なく、第２開閉弁３２の閉弁が遅くなっても、第４開閉弁３４が閉弁することによって、ジェットポンプ装置２０の噴射ノズル２０Ｂから噴出した洗浄水が流入口２０Ａ内へ空気を引き込むことを確実に防止することができる。このため、ジェットポンプ装置２０が空気を引き込む音の発生を確実に防止することができる。
【００５０】
＜実施例４＞
実施例４の水洗式便器の便器洗浄装置３１０は、図７に示すように、第３タンク１３を備えていない点で実施例２と相違する。他の構成は実施例２と同様であり、同一の構成は同一の符号を付し、詳細な説明を省略する。
【００５１】
この便器洗浄装置３１０は、便器給水路１１４の上流端を第１タンク１１の底部近傍まで延ばし、便器給水路１１４の上流端に設けた流入口１２０Ａと、この流入口１２０Ａに向かって洗浄水を噴出する噴射ノズル１２０Ｂとを第１タンク１１の底部近傍に配置してジェットポンプ装置１２９を構成している。これによって、便器洗浄装置３１０は部品点数を少なくすることができる。
【００５２】
この便器洗浄装置３１０は、第１タンク１１内の水位が流入口１２０Ａより低くならないように、第２設定水位を設定している。このため、噴射ノズル１２２から洗浄水が噴出している間は、必ず流入口１２０Ａが水位より低い位置にある。これによって、ジェットポンプ装置１２０の噴射ノズル１２２から噴出した洗浄水が流入口１２０Ａ内へ空気を引き込むことを確実に防止することができる。このため、ジェットポンプ装置１２０が空気を引き込む音の発生を確実に防止することができる。
【００５３】
本発明は上記記述及び図面によって説明した実施例１〜４に限定されるものではなく、例えば次のような実施例も本発明の技術的範囲に含まれる。
（１）実施例１〜４では、第２タンクを第１タンク内に配置したが、第２タンクを第１タンクに併設する等、第１タンク内に配置しなくてもよい。
（２）実施例１〜４では、第２〜第４開閉弁をフロートを有するボールタップであったが、第１タンク、及び第２タンクの水位を検知する電気式の水位センサーを利用して電気駆動式の第２〜第４開閉弁を開閉してもよい。
（３）実施例１〜４の第１開閉弁を第２タンクの水位を検知する電気式の水位センサーを有する電気駆動式開閉弁にしてもよい。
（４）実施例１〜４では、便鉢部に洗浄水を供給したが、便器排水路の上流側に設けたジェット吐水口等、便器本体の他の部分に直接洗浄水を供給してもよい。
（５）実施例１の便器洗浄装置の第１給水路に実施例３の第４開閉弁を設けてもよい。
【符号の説明】
【００５４】
１…便器本体
１０、１１０、２１０、３１０…便器洗浄装置
１１…第１タンク
１２…第２タンク
１２Ｄ…流出口
１４…便器給水路
２０…ジェットポンプ装置
２０Ａ、１２０Ａ…流入口
２０Ｂ、１２０Ｂ…噴射ノズル
２１…第１給水路
２２…第２給水路
３１、１３１…第１開閉弁
３２…第２開閉弁
３３…第３開閉弁
３４…第４開閉弁
Ｘ１…第１タンクの満水位
Ｙ１、Ｙ２…第１設定水位
Ｚ…第２設定水位
【図１】
2013204262.tif 000003
【図２】
2013204262.tif 000004
【図３】
2013204262.tif 000005
【図４】
2013204262.tif 000006
【図５】
2013204262.tif 000007
【図６】
2013204262.tif 000008
【図７】
2013204262.tif 000009